(57)【要約】【課題】アナログ公衆回線以外に接続された時、極性反転検出部の消費電力を抑える。【解決手段】アナログ公衆回線判定部２０は回線電圧検出部１９で回線３の回線電圧を監視し、４２Ｖ未満であればアナログ公衆回線ではないと判定を行う。電源制御部７はアナログ公衆回線判定部２０で回線３がアナログ公衆回線でないと判定した場合は極性反転検出部１０の電源供給を全面停止する。【選択図】  図１
2005005955.tif 000002
【特許請求の範囲】
【請求項１】
電源供給されている時に回線の極性反転を検出する極性反転検出部と、前記極性反転検出部で極性反転を検出すると回線から送出されてくるノーリンギング呼出信号を監視し自端末の呼出信号と判定した場合に回線へ着信応答信号を返すＮＲ着信部と、接続されている回線の電圧を検出する回線電圧検出部と、前記回線電圧検出部で検出した電圧によりアナログ公衆回線かどうかを判定するアナログ公衆回線判定部と、接続されている回線がアナログ回線であると前記アナログ公衆回線判定部で判定した場合は前記極性反転検出部へ電源供給を行い、アナログ公衆回線でないと判定した場合は前記極性反転検出部への電源供給を停止する制御を行う電源制御部を備えている回線端末装置。
【請求項２】
呼出信号を検出する呼出信号検出部と、呼出信号検出部で呼出信号を検出してない時にアナログ公衆回線かどうかの判定を行うアナログ公衆回線判定部からなる請求項１記載の回線端末装置。
【請求項３】
回線に接続されている他の機器のオフフックを検出するオフフック検出部と、オフフック検出部でオフフックを検出してない時にアナログ公衆回線かどうかの判定を行うアナログ公衆回線判定部からなる請求項１または請求項２記載の回線端末装置。
【請求項４】
回線に接続されてないことを検出する回線未接続検出部と、回線未接続検出部で回線に接続された時にアナログ公衆回線かどうかの判定を行うアナログ公衆回線判定部からなる請求項１〜３のいずれか１項に記載の回線端末装置。
【請求項５】
回線電圧検出部で４２Ｖ以上が検出された時にアナログ公衆回線と判定するアナログ公衆回線判定部からなる請求項１〜４のいずれか１項に記載の回線端末装置。
【発明の詳細な説明】
【０００１】
【発明の属する技術分野】
本発明は、公衆回線網を利用したノーリンギング通信により、ホームセキュリティ盤やガス遮断装置等のデータ端末装置の情報を収集する回線端末装置に関するものである。
【０００２】
【従来の技術】
従来、この種の回線端末装置は図２に示すようにデータ端末装置２の情報を回線３と交換局４を介して中央監視装置５で収集する装置である（例えば、特許文献１参照）。
【０００３】
ここで回線３はアナログ公衆回線で回線電圧が通常４２Ｖ〜５３Ｖで、ノーリンギング通信のサポートがされている。
【０００４】
データ端末装置２はマイクロコンピュータ内蔵の通信機能付き装置で、ガス需要家宅に取り付けられたガスメータに内蔵され、ガスの使用状態を電文で読み出せるようになっている。
【０００５】
７は中央制御部で回線端末装置１の受信した電文の解析や全体の制御を行う。
【０００６】
８は端末インターフェース部でデータ端末装置２との間で電文の送受信を行うように電気的整合を取る。またガス需要家宅の電話機６はこの回線端末装置１を介して回線３に接続されている。
【０００７】
９はＮＲ着信部で、交換局４から送出されてくるノーリンギング呼出信号を検出するＮＲ着信検出部１１と、ＮＲ着信検出部１１で検出したノーリンギング呼出信号が自端末の呼出信号かどうかを判定するＮＲ着信判定部１２と、ＮＲ着信判定部１２で自端末の呼出信号と判定した場合に交換局４へ着信応答信号を返すＮＲ着信応答部１３とで構成される。
【０００８】
１０は極性反転検出部１０でノーリンギング着信時の極性反転を検出するため、４２Ｖ以上では極性反転を検出しないように、３２Ｖ近辺で極性反転を検出できるようにスレッシュレベルが設定されている。この極性反転検出部１０では最初は回線３のＬ１側で極性反転の監視ができるように極性反転検出部１０内のＬ１監視用電源が供給され、Ｌ２監視用電源は供給停止した状態となっている。
【０００９】
１４は網制御部で、回線３、交換局４とのループを形成する。
【００１０】
１５は送受信部で、中央制御部１７との間でモデム信号形式の電文を復調したり、モデム信号形式に変調したりする。
【００１１】
図３はノーリンギング着信時の極性反転発生時の回線３のＬ１及びＬ２の電圧と極性反転検出部１０の消費電流と監視用電源供給制御状態の相関図である。
【００１２】
図３のようにノーリング着信時の極性反転では、Ｌ２の回線電圧がー４８Ｖから０Ｖ（地気）へ、Ｌ１の回線電圧が０Ｖ（地気）からー４８Ｖに１秒程度で変化する。
【００１３】
すると極性反転検出部１０では、Ｌ１側の回線電圧絶対値が徐々に大きくなるにつれＬ１監視用電源からの消費電流も徐々に増大する。スレッシュレベルになると極性反転検出部１０では極性反転を検出し、Ｌ１側の監視用電源の供給を停止するとともにＬ２側の監視用電源の供給を開始する。
【００１４】
するとＬ２側の回線電圧がスレッシュレベル近辺では、Ｌ２監視用電源からの消費電流は大きいが、Ｌ２側回線電圧が０Ｖに近づくにつれて徐々に小さくなり、回線電圧が０Ｖになると消費電流の低い状態でかつ極性反転（極性復旧）を検出できるようになる。
【００１５】
次に回線端末装置１のノーリンギング通信動作について図２を用いて説明する。
【００１６】
中央監視装置５からの発信よってノーリンギング通信を開始すると、回線端末装置１が接続されている回線３には交換局４により極性反転が発生する。
【００１７】
この極性反転を極性反転検出部１０が検出する。すると中央制御部１７は交換局４からのノーリンギングの呼出信号であるＮＲＳ選択信号をＮＲ着信検出部１１で検出できるように網制御部１４をハイインピーダンスの状態のままにしておき監視に入る。
【００１８】
交換局４から極性反転に続いて送出されたノーリンギング呼出信号がＮＲ着信検出部１１で検出されると、ＮＲ着信判定部１２ではあらかじめ設定されている自端末呼出信号データと一致するかどうかを判定し、その結果を中央制御部１７へ知らせる。
【００１９】
自端末呼出信号データと一致した場合、中央制御部１７は網制御部１４を半閉結状態にして回線３及び交換局４とでループを形成し、ノーリンギング着信に応答したことをＮＲ着信応答部１３から交換局４へ応答信号を送出して知らせることで通信を開始する。
【００２０】
次に着信の確認ができた中央監視装置５は、回線３及び交換局４経由で回線端末装置１に対してモデム信号形式の電文を送信する。
【００２１】
この電文は回線端末装置１の送受信部１５で復調され中央制御部１７に受信される。
【００２２】
中央制御部１７は受信した電文が回線端末装置１自身への電文の場合、応答電文を作成し、送受信部１５で変調してモデム信号形式で、中央監視装置５へ送信する。
【００２３】
また受信した電文がデータ端末装置２への電文の場合、中央制御部１７はデータ端末装置２に適した形式に電文を変換して端末インターフェース部８を介して送信を行う。
【００２４】
データ端末装置２からの応答電文を端末インターフェース部８を介して中央制御部１７が受信すると、中央監視装置５に適した形式の電文に変換して送受信部１５で変調して中央監視装置５へ送信する。
【００２５】
以降、中央監視装置５と回線端末装置１及びデータ端末装置２の間で電文の送受信を繰り返す。
【００２６】
通信を終了する場合は、中央監視装置５は通信終了電文を回線端末装置１へ送信する。
【００２７】
この通信終了電文を受信した中央制御部１７では網制御部１４によりループを開放し通信を終了する。中央監視装置５も交換局４に対して、回線を切断して通信を終了すると、交換局４でも回線３を極性復旧して元の回線電圧状態になり、極性反転検出部１０の電源供給状態も元の状態に戻る。
【００２８】
そして回線３及び回線端末装置１とも元の状態に戻り、新たな通信を開始待ちになる。
【００２９】
図２では回線３はアナログ公衆回線としたが、回線３がＩＳＤＮ回線の場合、図４のように、回線端末装置１はＤＳＵ内蔵のターミナルアダプタ４４のアナログポートを介して接続される。この場合、ＩＳＤＮ回線ではノーリンギング通信はサポートされてないため、中央監視装置５とは回線端末装置１から発信してデータ端末装置２の情報を伝える端末発呼方式で行われる。
【００３０】
図５のように回線３がＰＢＸ４５経由で回先端末装置１が接続される場合も、ＩＳＤＮ回線と同様である。
【００３１】
【特許文献１】
特開平１０−３２６４１号公報
【００３２】
【発明が解決しようとする課題】
しかしながら、前記従来の構成では、回線電圧が２４Ｖや３０Ｖ前後のターミナルアダプタやＰＢＸに接続されると、極性反転検出部には極性反転を検出するスレッシュレベルの電圧近辺が入力され続いた状態になり、極性反転検出部はＬ１用の極性反転検出部かＬ２用の極性反転検出部のどちらかが、消費電流が増加した状態のままになってしまう。
【００３３】
そのため、回線端末装置が電池を電源としていた場合、搭載する電池の容量を大きくするか、４２Ｖ未満のターミナルアダプタやＰＢＸには接続しないように運用しなければならないという課題を有していた。
【００３４】
本発明は、前記従来の課題を解決するもので、アナログ公衆回線判定部がアナログ公衆回線以外の回線に接続された場合、極性反転検出部の電源供給を停止すして、極性反転検出部の消費電流を抑えることを目的とする。
【００３５】
【課題を解決するための手段】
前記従来の課題を解決するために、本発明の回線端末装置は、電源供給されている時に回線の極性反転を検出する極性反転検出部と、極性反転検出部で極性反転を検出すると回線から送出されてくるノーリンギング呼出信号を監視し自端末の呼出信号と判定した場合に回線へ着信応答信号を返すＮＲ着信部と、接続されている回線の電圧を検出する回線電圧検出部と、回線電圧検出部で検出した電圧によりアナログ公衆回線かどうかを判定するアナログ公衆回線判定部と、接続されている回線がアナログ回線であるとアナログ公衆回線判定部で判定した場合は極性反転検出部へ電源供給を行い、アナログ公衆回線でないと判定した場合は極性反転検出部への電源供給を全面停止する制御を行う電源制御部としたものである。
【００３６】
これによって、この回線端末装置がアナログ公衆回線以外の回線に接続されると、回線電圧検出部で検出した電圧によりアナログ公衆回線判定部がアナログ公衆回線以外の回線に接続されたことを判定すると、極性反転検出部の電源供給を停止するので、極性反転検出部の消費電流を抑えることができる。
【００３７】
【発明の実施の形態】
請求項１に記載の発明は、電源供給されている時に回線の極性反転を検出する極性反転検出部と、極性反転検出部で極性反転を検出すると回線から送出されてくるノーリンギング呼出信号を監視し自端末の呼出信号と判定した場合に回線へ着信応答信号を返すＮＲ着信部と、接続されている回線の電圧を検出する回線電圧検出部と、回線電圧検出部で検出した電圧によりアナログ公衆回線かどうかを判定するアナログ公衆回線判定部と、接続されている回線がアナログ回線であるとアナログ公衆回線判定部で判定した場合は極性反転検出部へ電源供給を行い、アナログ公衆回線でないと判定した場合は極性反転検出部への電源供給を全面停止する制御を行う電源制御部とすることにより、この回線端末装置がアナログ公衆回線以外の回線に接続されると回線電圧検出部で検出された電圧によりアナログ公衆回線判定部がアナログ公衆回線以外の回線に接続されたことを識別し、極性反転検出部の電源供給を停止するので、極性反転検出部の消費電流の増加を防止できる。
【００３８】
請求項２に記載の発明は、特に、請求項１に記載の回線端末装置の呼出信号を検出する呼出信号検出部を備え、この呼出信号検出部で呼出信号を検出してない時にアナログ公衆回線かどうかの判定を行うアナログ公衆回線判定部とすることにより、接続されている回線に対して呼出しが行われているかを検出できるので、回線電圧が３秒周期で１秒間１６ＨＺで電圧の振幅が振れても、アナログ公衆回線判定部が判定をしないので誤判断の防止ができる。
【００３９】
請求項３に記載の発明は、特に、請求項１に記載の回線端末装置の回線に接続されている他の機器のオフフックを検出するオフフック検出部を備え、このオフフック検出部でオフフックを検出してない時に回線電圧でアナログ公衆回線かどうかの判定を行うアナログ公衆回線判定部とすることにより、接続されている回線に対して電話機が接続されているかを検出できるので、回線電圧が数Ｖになっても、アナログ公衆回線判定部が判定をしないので誤判断の防止ができる。
【００４０】
請求項４に記載の発明は、特に、回線に接続されてないことを検出する回線未接続検出部を備え、回線未接続検出部で回線に接続された時にアナログ公衆回線かどうかの判定を行うアナログ公衆回線判定部とすることにより、回線端末装置が回線に接続されてないことを検出できるので、回線電圧が０Ｖになっても、アナログ公衆回線判定部が判定をしないので誤判断の防止ができる。
【００４１】
請求項５に記載の発明は、特に、回線電圧検出部で４２Ｖ以上が検出された時にアナログ公衆回線と判定するアナログ公衆回線判定部とすることにより、４２Ｖ未満の回線電圧を備えたターミナルアダプタやＰＢＸを識別できる。
【００４２】
【実施例】
以下、本発明の実施例について図面を参照しながら説明する。
【００４３】
（実施例１）
図１は、本発明の実施例における回線端末装置のブロック構成図である。なお図２と同一番号のものは同じ名称と同じ機能を有する構成要素であり、その説明を省略する。
【００４４】
１９は回線電圧検出部で回線３のＬ１〜Ｌ２間の電圧を検出する。
【００４５】
２０はアナログ公衆回線判定部で、待機状態で定期的に回線電圧検出部１９で検出した回線３の回線電圧を監視し、ＮＴＴ発行の技術参考資料によるとアナログ公衆回線の回線電圧は通常４２〜５３Ｖとなっているので、回線３の回線電圧が４２Ｖ以上であればアナログ公衆回線と判定し、４２Ｖ未満であればアナログ公衆回線ではないと判定を行う。
【００４６】
７は電源制御部で、アナログ公衆回線判定部２０で回線３がアナログ公衆回線でないと判定した場合は極性反転検出部１０の電源供給を全面停止し、アナログ公衆回線と判定したらた電源を供給可能とする。従って電源制御部７で電源供給停止となった場合は、極性反転検出部１０は図２で説明したような内部での電源制御はできない。電源制御部７で電源供給可能となった場合は、極性反転検出部１０は図２で説明したような内部での電源制御ができる。
【００４７】
２２は回線に接続されてないことを検出する回線未接続検出部で、回線未接続検出部で回線に接続されているか、接続されてないかを検出する。
【００４８】
またアナログ公衆回線判定部２０は呼出信号検出部１６が呼出信号を検出してない時で、オフフック検出部１８が電話機のオフフックを検出してない時で、回線未接続検出部２２が回線接続を検出している時に判定行うようになっている。
【００４９】
以上のように構成された回線端末装置２１について、以下その動作、作用を説明する。
【００５０】
回線端末装置２１に接続されている回線３がアナログ公衆回線の場合、回線電圧検出部１９では４２Ｖから５３Ｖ、通常４８Ｖ前後の電圧が検出される。
【００５１】
ここで回線電圧検出部１９で検出された回線電圧はアナログ公衆回線判定部２０で４２Ｖ以上あると判定されるため、回線３はアナログ公衆回線と判定する。従って、この場合は電源制御部７は極性反転検出部１０への電源供給可能とし、極性反転の検出ができる状態となる。
【００５２】
この状態で中央監視装置５からの発信よってノーリンギング通信を開始すると、交換局４から回線３に対して極性反転が発生する。
【００５３】
この極性反転は回線端末装置２１の極性反転検出部１０で検出する。
【００５４】
中央制御部１７は極性反転検出部１０の極性反転検出を起動とし、ＮＲ着信部９により着信確認と応答を以下のように行う。
【００５５】
交換局４から極性反転後に来るノーリンギング時の呼出信号であるＮＲＳ選択信号をＮＲ着信検出部１１で検出できるように網制御部１４をハイインピーダンスの状態のままにしておき監視に入る。
【００５６】
次に交換局４から送出されたノーリンギング呼出信号がＮＲ着信検出部１１で検出されると、ＮＲ着信判定部１２ではあらかじめ設定されている自端末呼出信号データと一致するかどうかを判定し、その結果を中央制御部１７へ知らせる。
【００５７】
自端末呼出信号データと一致した場合、中央制御部１７は網制御部１４を半閉結状態にして回線３及び交換局４とでループを形成し、ノーリンギング着信に応答したことをＮＲ着信応答部１３から交換局４へ応答信号を送出して着信が正常に行われことを知らせる。
【００５８】
次に着信の確認ができた中央監視装置５は、回線３及び交換局４経由で回線端末装置２１に対してモデム信号形式の電文を送信する。
【００５９】
この電文は回線端末装置２１の送受信部１５で復調され中央制御部１７に受信される。
【００６０】
中央制御部１７は受信した電文が回線端末装置２１自身への電文の場合、応答電文を作成し、送受信部１５で変調してモデム信号形式で、中央監視装置５へ送信する。
【００６１】
また受信した電文がデータ端末装置２への電文の場合、中央制御部１７はデータ端末装置２に適した形式に電文を変換して端末インターフェース部８を介して送信を行う。
【００６２】
データ端末装置２からの応答電文を端末インターフェース部８を介して中央制御部１７が受信すると、中央監視装置５に適した形式の電文に変換して送受信部１５で変調して中央監視装置５へ送信する。
【００６３】
以降、中央監視装置５と回線端末装置２１及びデータ端末装置２の間で電文の送受信を繰り返す。
【００６４】
通信を終了する場合は、中央監視装置５は通信終了電文を回線端末装置２１へ送信する。
【００６５】
この通信終了電文を受信した中央制御部１７では網制御部１４によりループを開放し通信を終了する。
【００６６】
中央監視装置５も交換局４に対して、回線を切断して通信を終了すると、交換局４でも回線３を極性復旧して元の回線電圧状態になり、極性反転検出部１０の電源供給状態も元の状態に戻る。
【００６７】
そして回線３及び回線端末装置２１とも元の状態に戻り、新たな通信を開始待ちになる。
【００６８】
図１では回線３がアナログの公衆回線として説明したが、次は図４と同じく回線３がＩＳＤＮ回線の場合はＤＳＵ内蔵のターミナルアダプタ４４のアナログポート経由で回線端末装置２１が接続される場合を説明する。
【００６９】
そして、このターミナルアダプタ４４は回線電圧２４Ｖのアナログポートを備えている機種として、以降の動作説明を行う。
【００７０】
このターミナルアダプタ４４に回線端末装置２１が接続されると回線電圧検出部１９では２４Ｖが検出される。
【００７１】
通常、この状態では呼出し信号も来ないし、電話機６もオフフックされてないため、回線電圧検出部１９で検出した電圧をアナログ公衆回線判定部２０が判定を行う。
【００７２】
アナログ公衆回線判定部２０では回線電圧が４２Ｖ未満であるため、アナログ公衆回線でないと判定する。そして電源制御部７では極性反転検出部１０への電源供給を全面停止する。
【００７３】
従って、回線電圧が２４Ｖになったままでも、極性反転検出部１０の消費電流はゼロにすることができる。
【００７４】
なお回線３がアナログ公衆回線でなく、ＩＳＤＮ回線だったり、あるいはＰＢＸや特殊な通信用アダプタに接続された場合など、ノーリンギング通信はサポートされてないため、極性反転を検出する必要がなく極性反転検出部の電源供給を停止しても全く問題ない。
【００７５】
そしてこの回線端末装置２１をターミナルアダプタ４４から取り外して別のアナログ回線の需要家宅に接続しなおした場合や回線３がＩＳＤＮ回線からアナログ公衆回線に変更され、ノーリンギング通信がサポートされている環境になった場合、回線電圧検出部１９では再び４８Ｖ前後の電圧が検出されるので、アナログ公衆回線判定部２０ではアナログ公衆回線に接続されたと判定し、電源制御部７より極性反転検出部１０に対して電源供給が可能な状態となる。
【００７６】
すると極性反転が検出でき、ノーリンギング通信ができるようになる。
【００７７】
通常の状態では交換局４からの呼出信号は来ないし、電話機６もオフフックされてないため、回線電圧検出部１９で検出した電圧をアナログ公衆回線判定部２０では判定を行う。
【００７８】
しかしながら交換局４から呼出が行われると、回線３の電圧は３秒周期で１秒間１６ＨＺで電圧が振幅するため、回線電圧検出部１９では４２Ｖ未満を検出したり４２Ｖ以上を検出したりする。
【００７９】
この時、呼出信号検出部１６では呼出信号の発生を検出するので、この間はアナログ公衆回線判定部２０では判定を中断することができ、アナログ公衆回線かどうかの判定を間違ったりしない。
【００８０】
また電話機６がオフフックされると回線の電圧は数Ｖになるが、オフフック検出部１８で、電話機６のオフフックを検出できるので、オフフックされている間はアナログ公衆回線判定部２０では判定を中断することができ、アナログ公衆回線かどうかの判定を間違ったりしない。
【００８１】
また回線３からはずされると回線の電圧は０Ｖになるが、回線未接続検出部２２で、回線３からはずされたことを検出できるので、回線３からはずされているされている間はアナログ公衆回線判定部２０では判定を中断することができ、ア回線に未接続の状態での判定を間違ったりしない。
【００８２】
このように、ＩＳＤＮ回線のＴＡやＰＢＸ等、アナログ公衆回線の電圧範囲下限値４２Ｖ未満となる回線に接続されると、極性反転検出部１０の消費電流をゼロにすることができる。
【００８３】
従って、この回線端末装置２１は回線の種別によらず設置することができる。また回線端末装置２１の電源が電池の場合、小型電池を搭載可能で省スペースで安価な装置の提供が可能である。
【００８４】
【発明の効果】
以上のように、本発明の回線端末装置によれば、アナログ公衆回線の回線電圧範囲未満の回線に接続すると、極性反転検出部の消費電流をゼロにすることができる。
【図面の簡単な説明】
【図１】本発明の実施例１における回線端末装置のブロック構成図
【図２】従来の回線端末装置のブロック構成図
【図３】極性反転時の回線電圧と極性反転検出部の消費電流と監視用電源供給制御状態を示す図
【図４】回線端末装置のＩＳＤＮ回線への接続図
【図５】回線端末装置のＰＢＸへの接続図
【符号の説明】
３  回線
７  電源制御部
９  ＮＲ着信部
１０  極性反転検出部
１６  呼出信号検出部
１８  オフフック検出部
１９  回線電圧検出部
２０  アナログ公衆回線判定部
２２  回線未接続検出部
【図１】
2005005955.tif 000003
【図２】
2005005955.tif 000004
【図３】
2005005955.tif 000005
【図４】
2005005955.tif 000006
【図５】
2005005955.tif 000007